(57)【特許請求の範囲】
【請求項１】
筺体と、
前記筺体に設けられるスイッチユニットと、
前記筺体に設けられ、前記スイッチユニットと対向するとともに、該スイッチユニットとの対向方向に移動される操作ボタンと、
前記筺体に設けられるとともに前記スイッチユニットに対する前記操作ボタンと反対側に配置され、前記操作ボタンの移動方向に延びる回動軸を中心とした回動に伴って前記操作ボタンに対して前記スイッチユニットを接離させる調整部材と、
を備える情報入力装置。
【請求項２】
前記調整部材の一部は、前記筺体から露出される、
請求項１に記載の情報入力装置。
【請求項３】
前記調整部材は、前記スイッチユニット側へ突出し、前記回動軸を中心とした回動に伴って前記スイッチユニットを前記操作ボタン側へ押圧する押圧部を有する、
請求項１又は請求項２に記載の情報入力装置。
【請求項４】
前記調整部材は、前記スイッチユニット側への突出高さが異なるとともに前記回動軸の周方向にずれて配置される複数の前記押圧部を有する、
請求項３に記載の情報入力装置。
【請求項５】
前記調整部材は、前記スイッチユニット側へ突出するベース突出部を有し、
複数の前記押圧部は、前記ベース突出部よりも前記スイッチユニット側へ突出するとともに、該ベース突出部とで前記回動軸の周方向に沿った環状を成す、
請求項４に記載の情報入力装置。
【請求項６】
前記押圧部における前記回動軸の周方向の一端部には、該押圧部における前記回動軸の周方向の他端側から一端側に向かうに従って前記スイッチユニットと反対側へ傾斜する傾斜面が形成される、
請求項４又は請求項５に記載の情報入力装置。
【請求項７】
前記スイッチユニットの長手方向の両端部を前記筺体に取り付ける一対の取付部材を備え、
前記押圧部は、前記調整部材の回動に伴って、前記スイッチユニットにおける一対の前記取付部材間の中間部を少なくとも押圧する、
請求項４〜請求項６の何れか１項に記載の情報入力装置。
【請求項８】
前記筺体には、互いに隣り合う一対の前記操作ボタンが設けられ、
前記スイッチユニットは、
一対の前記操作ボタンと前記調整部材との間に配置されるスイッチ基板と、
前記スイッチ基板に実装され、一対の前記操作ボタンの各々と対向する一対のスイッチと、
を有し、
前記押圧部は、前記調整部材の回動に伴って、前記スイッチ基板における一対の前記スイッチ間の中間部を少なくとも押圧する、
請求項４〜請求項７の何れか１項に記載の情報入力装置。
【請求項９】
前記スイッチ基板は、一対の前記操作ボタンの各々と対向する一対のボタン対向部を有し、
前記調整部材は、前記回動軸を挟んで互いに対向するとともに、該調整部材の回動に伴って少なくとも一方が、一対の前記ボタン対向部(52A)を押圧する一対の前記押圧部を有する、
請求項８に記載の情報入力装置。
【請求項１０】
前記調整部材は、
前記調整部材からの突出高さが互いに同じとされる一対の前記押圧部としての一対の第１突出部と、
前記調整部材からの突出高さが互いに異なるとともに、一対の前記第１突出部と前記回動軸の周方向にずれて配置される一対の前記押圧部としての一対の第２突出部と、
を有する、
請求項９に記載の情報入力装置。
【請求項１１】
前記筺体に設けられ、前記スイッチユニットを該スイッチユニットと前記操作ボタンとの対向方向に沿って移動させるガイド部と、
前記筺体に設けられ、前記スイッチユニットを前記調整部材側へ付勢する弾性部材と、
を備える、
請求項１〜請求項１０の何れか１項に記載の情報入力装置。
【発明の詳細な説明】
【技術分野】
【０００１】
本願が開示する技術は、情報入力装置に関する。
【背景技術】
【０００２】
スイッチと、操作者によって押下されることによりスイッチを作動する操作ボタンとを備える情報入力装置がある（例えば、特許文献１〜４参照）。
【０００３】
この種の情報入力装置としては、操作ボタンの移動量（ストローク）を制限するストッパと、操作ボタンに対してストッパを接離させ、操作ボタンとスイッチとの間隔を変更する調整カムとを備える情報入力装置がある（例えば、特許文献１）。この情報入力装置では、調整カムによって操作ボタンとスイッチとの間隔が変更されることにより、操作者による操作ボタンの操作感覚が調整される。
【先行技術文献】
【特許文献】
【０００４】
【特許文献１】実用新案登録第３０６６２３４号公報
【特許文献２】特開２００４−１７８２０７号公報
【特許文献３】特開平８−２５５０４３号公報
【特許文献４】実公平３−１３７８９号公報
【発明の概要】
【発明が解決しようとする課題】
【０００５】
しかしながら、前述した情報入力装置では、調整カムが、操作ボタンの移動方向（押下方向）と直交する方向に延びる回動軸を中心として回転される。そのため、調整カムの径に応じて情報入力装置が操作ボタンの移動方向に大型化する可能性がある。
【０００６】
本願が開示する技術は、一つの側面として、情報入力装置を操作ボタンの移動方向に小型化することを目的とする。
【課題を解決するための手段】
【０００７】
本願が開示する技術では、情報入力装置は、筺体と、スイッチユニットと、操作ボタンと、調整部材とを備える。スイッチユニットは、筺体に設けられる。操作ボタンは、筺体に設けられ、スイッチユニットと対向するとともに、スイッチユニットとの対向方向に移動される。操作ボタンは、筺体に設けられるとともにスイッチユニットに対する操作ボタンと反対側に配置され、操作ボタンの移動方向に延びる回動軸を中心とした回動に伴って操作ボタンに対してスイッチユニットを接離させる。
【発明の効果】
【０００８】
本願が開示する技術によれば、一つの側面として、情報入力装置を操作ボタンの移動方向に小型化することができる。
【図面の簡単な説明】
【０００９】
【図１】図１は、第１実施形態に係る電子機器を示す斜視図である。
【図２】図２は、図１に示される電子機器の固定ユニットを示す分解斜視図である。
【図３】図３は、図１に示される電子機器の固定ユニットを示す分解斜視図である。
【図４】図４は、図１に示されるボタン部材を示す斜視図である。
【図５】図５は、図２に示される調整ダイヤルを示す斜視図である。
【図６】図６は、図５に示される調整ダイヤルを示す側面図である。
【図７】図７は、図１に示されるクリック装置を示す平面図である。
【図８】図８は、図７のＦ８−Ｆ８線断面図である。
【図９】図９は、調整ダイヤルが回動した状態を示す図７のＦ８−Ｆ８線断面図に対応する断面図である。
【図１０】図１０は、調整ダイヤルが回動した状態を示す図７のＦ８−Ｆ８線断面図に対応する断面図である。
【図１１】図１１は、第２実施形態における調整ダイヤルを示す斜視図である。
【図１２】図１２は、図１１に示される調整ダイヤルを示す側面図である。
【図１３】図１３は、第２実施形態に係るクリック装置を示す平面図である。
【図１４】図１４は、図１３の一部拡大平面図である。
【図１５】図１５は、図１４のＦ１５−Ｆ１５線断面図である。
【図１６】図１６は、調整ダイヤルが回動した状態を示す図１４に対応する一部拡大平面図である。
【図１７】図１７は、図１６のＦ１７−Ｆ１７線断面図である。
【図１８】図１８は、調整ダイヤルが回動した状態を示す図１４に対応する一部拡大平面図である。
【図１９】図１９は、図１８のＦ１９−Ｆ１９線断面図である。
【図２０】図２０は、調整ダイヤルが回動した状態を示す図１４に対応する一部拡大平面図である。
【図２１】図２１は、図２０のＦ２１−Ｆ２１線断面図である。
【図２２】図１に示される筺体の変形例を示す平面図である。
【図２３】図１１に示される調整ダイヤルの変形例を示す平面図である。
【図２４】図１１に示される調整ダイヤルの変形例を示す平面図である。
【発明を実施するための形態】
【００１０】
先ず、本願が開示する技術の第１実施形態について説明する。
【００１１】
図１に示されるように、本実施形態に係る電子機器１０は、例えば、ノートブック型パーソナルコンピュータ（以下、「ノートパソコン」という）とされる。なお、各図において、適宜示される矢印ＵＰは、電子機器１０の高さ方向（上下方向）の上側を示す。また、矢印ＦＲは、電子機器１０の前後方向の前側を示す。さらに、矢印Ｗは、電子機器１０の幅方向（横幅方向）を示す。
【００１２】
電子機器１０は、可動ユニット１２と、固定ユニット１８とを備える。可動ユニット１２は、固定ユニット１８の一端部に図示しないヒンジ部を介して開閉可能に連結される。この可動ユニット１２は、筺体１４と、筺体１４に収容される液晶パネル等の表示パネル１６とを有する。
【００１３】
固定ユニット１８は、筺体２０を有する。筺体２０は、薄型の箱状に形成される。また、筺体２０は、当該筺体２０の厚み方向（高さ方向）に分割されるロアカバー２２及びアッパカバー２４を有する。この筺体２０には、ＣＰＵ及びメモリ等の複数の電子部品が実装された図示しないプリント基板（マザーボード）が収容される。
【００１４】
また、筺体２０には、キーボード２６及びタッチパッド２８が設けられる。キーボード２６は、筺体２０の前後方向の中央部から後端側に亘って配置される。キーボード２６は、筺体２０の前後方向及び幅方向に配列される複数のキートップ２６Ａを有する。これらのキートップ２６Ａは、アッパカバー２４の上面から露出される。
【００１５】
タッチパッド２８は、筺体２０におけるキーボード２６の前側（矢印ＦＲ側）に配置される。このタッチパッド２８は、矩形状のタッチ操作面２８Ａを有する。このタッチ操作面２８Ａは、アッパカバー２４の上面から露出される。
【００１６】
さらに、筺体２０には、クリック装置３０が設けられる。クリック装置３０は、筺体２０におけるタッチパッド２８の前側に配置される。このクリック装置３０は、図２に示されるように、ボタン部材３２と、スイッチユニット５０と、調整ダイヤル７０とを有する。なお、クリック装置３０と固定ユニット１８とは、筺体２０を共有する。また、クリック装置３０は、情報入力装置の一例である。また、調整ダイヤル７０は、調整部材の一例である。
【００１７】
ボタン部材３２は、一対のクリックボタン３４と、支持フレーム３６とを有する。一対のクリックボタン３４及び支持フレーム３６は、例えば、樹脂によって一体に形成される。また、一対のクリックボタン３４は、筺体２０の幅方向（矢印Ｗ方向）に並んで配置される。各クリックボタン３４は、筺体２０の幅方向を長手方向とした矩形状に形成される。
【００１８】
一対のクリックボタン３４は、アッパカバー２４の上面に形成された開口３８内に配置され、アッパカバー２４の上面から露出される。また、一対のクリックボタン３４の各々の下面（スイッチユニット５０側の面）の中央部には、後述する一対のスイッチ５４を押下する突起部３４Ａ（図３参照）がそれぞれ形成される。なお、クリックボタン３４は、操作ボタンの一例である。
【００１９】
支持フレーム３６は、アッパカバー２４に対して一対のクリックボタン３４を支持する。この支持フレーム３６は、一対のクリックボタン３４と後述するスイッチユニット５０との対向方向（矢印ＵＰ方向）に弾性変形する。そして、支持フレーム３６の弾性変形に伴って、一対のクリックボタン３４がスイッチユニット５０に対して接離する。
【００２０】
支持フレーム３６は、一対のフロントフレーム部３６Ａと、一対のサイドフレーム部３６Ｂとを有する。一対のフロントフレーム部３６Ａは、一対のクリックボタン３４の各々から前側へ延出する。また、一対のフロントフレーム部３６Ａは、一対のクリックボタン３４の境界の周辺部で互いに接続される。これにより、一対のフロントフレーム部３６Ａを介して一対のクリックボタン３４が連結される。また、各フロントフレーム部３６Ａには、複数の取付孔４０が形成される。
【００２１】
一対のサイドフレーム部３６Ｂは、Ｌ字状に形成される。この一対のサイドフレーム部３６Ｂは、一対のクリックボタン３４から幅方向の両側へアーム状に延出する。また、各サイドフレーム部３６Ｂの先端部には、取付孔４２が形成される。
【００２２】
ここで、図３及び図４に示されるように、フロントフレーム部３６Ａ及び一対のサイドフレーム部３６Ｂの取付孔４０には、アッパカバー２４の内面（下面）から突出する溶着突起４４がそれぞれ挿入される。この状態で、溶着突起４４は、図示しない溶着機によってフロントフレーム部３６Ａ又は一対のサイドフレーム部３６Ｂに溶着される。これにより、支持フレーム３６がアッパカバー２４に固定される。
【００２３】
図２に示されるように、スイッチユニット５０は、筺体２０内に配置される。また、スイッチユニット５０は、一対のクリックボタン３４と筺体２０の高さ方向に対向して配置される。このスイッチユニット５０は、スイッチ基板５２と、一対のスイッチ５４とを有する。スイッチ基板５２は、一対のクリックボタン３４の隣接方向（矢印Ｗ方向）を長手方向とした長方形状に形成される。
【００２４】
スイッチ基板５２は、一対のクリックボタン３４の各々と対向する一対のボタン対向部５２Ａを有する。この一対のボタン対向部５２Ａには、一対のスイッチ５４が実装される。図３に示されるように、一対のスイッチ５４は、一対のクリックボタン３４の突起部３４Ａとそれぞれ対向される。そして、各スイッチ５４は、操作者によるクリックボタン３４の押下操作に伴って、突起部３４Ａによって押下される。
【００２５】
一対のスイッチ５４は、例えば、操作者による押下操作に伴って、当該操作者にクリック感を与えるタクタイルスイッチとされる。具体的には、各スイッチ５４は、例えば、反転ばね、固定接点及び可動接点を有する。反転ばねは、操作者による押下操作に伴って反転することで操作者にクリック感を与える。この反転ばねには、可動接点が設けられる。可動接点は、操作者による押下操作に伴って固定接点に接触される。これにより、スイッチ５４がオン状態（通電状態）となる。また、可動接点が固定接点から離れると、スイッチ５４がオフ状態（非通電状態）となる。これらのスイッチ５４は、スイッチ基板５２に接続されたケーブル５６を介して、例えば、前述したプリント基板（マザーボード）と電気的に接続される。
【００２６】
スイッチ基板５２の長手方向の両端部には、取付孔５８がそれぞれ形成される。一方、アッパカバー２４の内面における開口３８の長手方向の両側には、一対のガイドピン（ボス部）６０が設けられる。一対のガイドピン６０は、一対のクリックボタン３４とスイッチユニット５０との対向方向に延びる円筒状に形成される。この一対のガイドピン６０は、スイッチ基板５２の両側の取付孔５８にそれぞれ挿入される。これにより、スイッチ基板５２が一対のガイドピン６０に沿って移動可能とされる。なお、一対のガイドピン６０は、一対のガイド部の一例である。
【００２７】
また、一対のガイドピン６０の内周面には、雌ネジが形成される。この一対のガイドピン６０には、スイッチ基板５２の取付孔５８に挿入されたビス６２が締め込まれる。これにより、スイッチ基板５２がアッパカバー２４に取り付けられる。なお、ビス６２は、取付部材の一例である。
【００２８】
アッパカバー２４とスイッチ基板５２との間には、スイッチ基板５２を後述する調整ダイヤル７０側へ付勢する一対のコイルばね６４が配置される。一対のコイルばね６４は、一対のガイドピン６０にそれぞれ取り付けられる。すなわち、一対のコイルばね６４の内部に、一対のガイドピン６０がそれぞれ挿入される。この一対のコイルばね６４は、軸方向に圧縮された状態で、アッパカバー２４とスイッチ基板５２との間に配置される。なお、コイルばね６４は、弾性部材の一例である。
【００２９】
図２に示されるように、調整ダイヤル７０は、スイッチユニット５０に対する一対のクリックボタン３４と反対側に配置される。この調整ダイヤル７０は、操作者によって回動操作されることにより、一対のクリックボタン３４に対して一対のスイッチ５４を接離させ、操作者による一対のクリックボタン３４の操作感覚を調整する部材である。この調整ダイヤル７０によって、一対のクリックボタン３４の操作感覚が３段階（調整レベル１〜３）に調整可能とされる。
【００３０】
調整ダイヤル７０は、ダイヤル本体７２と、環状リブ８０とを有する。ダイヤル本体７２は、円盤状に形成される。また、ダイヤル本体７２は、一対のクリックボタン３４とスイッチユニット５０との対向方向に延びる回動軸７６を中心として回動される。
【００３１】
具体的には、ダイヤル本体７２の中央部には、当該ダイヤル本体７２を厚み方向に貫通する貫通孔７４が形成される。この貫通孔７４には、ロアカバー２２からスイッチユニット５０側へ突出する回動軸７６が回動可能に挿入される。回動軸７６は、円筒状に形成されており、一対のクリックボタン３４とスイッチユニット５０との対向方向を軸方向として配置される。
【００３２】
回動軸７６におけるロアカバー２２側の部位には、調整ダイヤル７０を回動可能に支持する複数の支持リブ７８が設けられる。複数の支持リブ７８は、回動軸７６を中心として当該回動軸７６の外周面から径方向外側へ放射状に延出される。これらの支持リブ７８上に、調整ダイヤル７０が回動可能に載置される。なお、調整ダイヤル７０の側周面には、滑り止め用の複数の溝７３が形成される。
【００３３】
また、ダイヤル本体７２は、スイッチ基板５２と対向する対向面７２Ａを有する。この対向面７２Ａには、当該対向面７２Ａからスイッチユニット５０側へ突出する環状リブ８０が設けられる。環状リブ８０は、円筒状に形成されており、ダイヤル本体７２と同軸上に配置される。つまり、環状リブ８０は、回動軸７６の周方向（矢印Ｔ方向）に沿った環状を成す。
【００３４】
図５に示されるように、環状リブ８０には、調整レベル１〜３にそれぞれ対応する３つのベース突出部８２、低押圧部８４及び高押圧部８６が設けられる。具体的には、環状リブ８０には、対向面７２Ａからの突出高さ（突出量）が異なるとともに、調整ダイヤル７０の回動に伴ってスイッチ基板５２に接触される３つのベース突出部８２、低押圧部８４及び高押圧部８６が設けられる。
【００３５】
ベース突出部８２、低押圧部８４及び高押圧部８６は、環状リブ８０を当該環状リブ８０の周方向に３分割（本実施形態では三等分）して形成される。つまり、ベース突出部８２、低押圧部８４及び高押圧部８６は、回動軸７６の周方向にずれて配置される。また、図６に示されるように、低押圧部８４の突出高さＨ２は、ベース突出部８２の突出高さＨ１よりも高くされる（Ｈ１＜Ｈ２）。また、高押圧部８６の突出高さＨ３は、低押圧部８４の突出高さＨ２よりも高くされる（Ｈ２＜Ｈ３）。なお、低押圧部８４及び高押圧部８６は、押圧部の一例である。
【００３６】
また、ベース突出部８２の突出高さＨ１は、ベース突出部８２の長手方向の一端部から他端部に亘って一定とされる。これと同様に、低押圧部８４の突出高さＨ２は、低押圧部８４の長手方向の一端部から他端部に亘って一定とされる。さらに、高押圧部８６の突出高さＨ３は、高押圧部８６の長手方向の一端部から他端部に亘って一定とされる。そして、ベース突出部８２、低押圧部８４及び高押圧部８６の頂部（先端部）には、スイッチ基板５２が接触される接触面８２Ａ，８４Ａ，８６Ａがそれぞれ形成される。これらの接触面８２Ａ，８４Ａ，８６Ａは、平坦面とされる。
【００３７】
ベース突出部８２と低押圧部８４との間の段差部には、ベース突出部８２の接触面８２Ａと低押圧部８４の接触面８４Ａとを接続する傾斜面８８が形成される。具体的には、低押圧部８４における回動軸７６の周方向の一端部（ベース突出部８２側の端部）には、傾斜面８８が形成される。傾斜面８８は、低押圧部８４における回動軸７６の周方向の他端側から一端側に向かうに従ってスイッチユニット５０と反対側へ傾斜される。換言すると、傾斜面８８は、低押圧部８４からベース突出部８２に向かうに従ってダイヤル本体７２側へ傾斜される。
【００３８】
また、低押圧部８４と高押圧部８６との間の段差部には、低押圧部８４の接触面８４Ａと高押圧部８６の接触面８６Ａとを接続する傾斜面９０が形成される。具体的には、高押圧部８６における回動軸７６の周方向の一端部（低押圧部８４側の端部）には、傾斜面９０が形成される。傾斜面９０は、高押圧部８６における回動軸７６の周方向の他端側から一端側に向かうに従ってスイッチユニット５０と反対側へ傾斜される。換言すると、傾斜面９０は、高押圧部８６から低押圧部８４に向かうに従ってダイヤル本体７２側へ傾斜される。
【００３９】
さらに、高押圧部８６とベース突出部８２との間の段差部には、高押圧部８６の接触面８６Ａとベース突出部８２の接触面８２Ａとを接続する傾斜面９２が形成される。具体的には、高押圧部８６における回動軸７６の周方向の他端部（ベース突出部８２側の端部）には、傾斜面９２が形成される。傾斜面９２は、高押圧部８６における回動軸７６の周方向の一端側から他端側に向かうに従ってスイッチユニット５０と反対側へ傾斜される。換言すると、傾斜面９２は、高押圧部８６からベース突出部８２に向かうに従ってダイヤル本体７２側へ傾斜される。
【００４０】
ここで、図７に示されるように、スイッチ基板５２は、調整ダイヤル７０の回動軸７６の軸方向から見て、一対のクリックボタン３４を横切るように配置される。そして、調整ダイヤル７０は、回動軸７６の軸方向から見て、環状リブ８０の一部がスイッチ基板５２と重なるように配置される。
【００４１】
これにより、調整ダイヤル７０の回動に伴って、ベース突出部８２、低押圧部８４及び高押圧部８６の各々が、スイッチ基板５２が接触される調整位置と、スイッチ基板５２が接触されない退避位置との間を移動する。つまり、調整ダイヤル７０の回動に伴って、ベース突出部８２、低押圧部８４及び高押圧部８６の各々が、回動軸７６の軸方向から見て、スイッチ基板５２と重なる調整位置と、スイッチ基板５２から外れた（スイッチ基板５２と重ならない）退避位置との間を移動する。
【００４２】
また、回動軸７６は、当該回動軸７６の軸方向から見て、スイッチ基板５２における一対のビス６２間（間隔Ｄ）の中間部５２Ｍを通り、かつ、当該スイッチ基板５２と直交する仮想線Ｖ上に配置される。さらに、回動軸７６は、当該回動軸７６の軸方向から見て、スイッチ基板５２から片側（矢印ＦＲ側）に外れた位置に配置される。これにより、調整ダイヤル７０の回動に伴い、ベース突出部８２、低押圧部８４及び高押圧部８６の各々が、スイッチ基板５２の中間部５２Ｍに少なくとも接触される。
【００４３】
さらに、本実施形態では、スイッチ基板５２における一対のビス６２間の中間部５２Ｍと、スイッチ基板５２における一対のスイッチ５４間（間隔Ｅ）の中間部とが一致される。これにより、本実施形態では、調整ダイヤル７０の回動に伴い、ベース突出部８２、低押圧部８４及び高押圧部８６の各々が、スイッチ基板５２における一対のスイッチ５４間（間隔Ｅ）の中間部（中間部５２Ｍ）に少なくとも接触される。
【００４４】
また、前述したように、ベース突出部８２、低押圧部８４及び高押圧部８６は、環状リブ８０を当該環状リブ８０の周方向に三等分して形成される。そのため、調整ダイヤル７０の１／３の回動毎に、ベース突出部８２、低押圧部８４及び高押圧部８６の何れか１つがスイッチ基板５２に接触される。
【００４５】
なお、図５に示されるように、ダイヤル本体７２の対向面７２Ａには、ベース突出部８２、低押圧部８４及び高押圧部８６の各々に対応する３つの目印Ｓ１，Ｓ２，Ｓ３が表示される。３つの目印Ｓ１，Ｓ２，Ｓ３は、対向面７２Ａの外周部に等間隔で表示され、操作者が視認可能なように筺体２０から露出される。
【００４６】
具体的には、筺体２０のロアカバー２２には、ダイヤル本体７２の外周部を露出させる切欠き部９４（図２参照）が形成される。そして、３つの目印Ｓ１，Ｓ２，Ｓ３の何れか１つが筺体２０の所定位置に合せられることにより、ベース突出部８２、低押圧部８４及び高押圧部８６の何れか１つがスイッチ基板５２に接触される。
【００４７】
次に、クリック装置３０の動作（作用）及び一対のクリックボタン３４の操作感覚の調整方法の一例に説明する。
【００４８】
図８には、スイッチ基板５２が調整ダイヤル７０のベース突出部８２に接触（支持）された状態が示される。この状態では、一対のクリックボタン３４と一対のスイッチ５４との間隔は、Ｇ１とされる。
【００４９】
この状態において、操作者が一対のクリックボタン３４の何れかを押下すると、支持フレーム３６（図４参照）がスイッチユニット５０側へ弾性変形し、クリックボタン３４がスイッチユニット５０側へ移動する。これにより、クリックボタン３４によってスイッチ基板５２上のスイッチ５４が押下され、スイッチ５４がオン状態となる。
【００５０】
次に、操作者がクリックボタン３４から手を離すと、弾性変形された支持フレーム３６が復元し、クリックボタン３４がスイッチユニット５０から離れる方向へ移動される。これにより、スイッチ５４がオフ状態となる。このようなスイッチ５４の動作により、操作者には、クリックボタン３４とスイッチ５４との間隔Ｇ１に応じた操作感覚が付与される。なお、この状態の一対のクリックボタン３４の操作感覚を調整レベル１とする。
【００５１】
ここで、操作者がクリックボタン３４の操作感覚を変更する場合には、筺体２０から露出する調整ダイヤル７０のダイヤル本体７２を操作し、回動軸７６を中心として調整ダイヤル７０を所定方向（図７の矢印Ｒ方向）に回動させる。そして、ダイヤル本体７２に表示された目印Ｓ２を筺体２０の所定位置に合わせる。
【００５２】
これにより、図９に示されるように、調整ダイヤル７０の低押圧部８４が退避位置からスイッチ基板５２の下の調整位置へ移動し、当該低押圧部８４によってスイッチ基板５２が一対のクリックボタン３４側へ押圧される。この際、スイッチ基板５２は、低押圧部８４の一端部に形成された傾斜面８８（図５参照）に沿って、ベース突出部８２の接触面８２Ａから低押圧部８４の接触面８４Ａへ移動される。
【００５３】
この結果、スイッチ基板５２が一対のガイドピン６０に沿って一対のクリックボタン３４側へ移動され、一対のコイルばね６４がそれぞれ軸方向に圧縮変形される。また、一対のクリックボタン３４の突起部３４Ａと一対のスイッチ５４との間隔Ｇ２が、調整レベル１の間隔Ｇ１よりも狭くなる（Ｇ２＜Ｇ１）。つまり、操作者がクリックボタン３４を押下してから、クリックボタン３４がスイッチ５４を押下するまでの距離が短くなる。
【００５４】
これにより、操作者は、調整レベル１よりも早くスイッチ５４をオン状態にすることができる。したがって、操作者によるクリックボタン３４の操作感覚が変更される。なお、この状態における一対のクリックボタン３４の操作感覚を調整レベル２とする。
【００５５】
次に、操作者がクリックボタン３４の操作感覚をさらに変更する場合には、調整ダイヤル７０のダイヤル本体７２を操作し、回動軸７６を中心として調整ダイヤル７０を所定方向（図７の矢印Ｒ方向）に回動させる。そして、ダイヤル本体７２に表示された目印Ｓ３を筺体２０の所定位置に合わせる。
【００５６】
これにより、図１０に示されるように、調整ダイヤル７０の高押圧部８６が退避位置からスイッチ基板５２の下の調整位置へ移動し、当該高押圧部８６によってスイッチ基板５２が一対のクリックボタン３４側へ押圧される。この際、スイッチ基板５２は、高押圧部８６の一端部に形成された傾斜面９０（図５参照）に沿って低押圧部８４の接触面８４Ａから高押圧部８６の接触面８６Ａへ移動される。
【００５７】
この結果、スイッチ基板５２が一対のガイドピン６０に沿って一対のクリックボタン３４側へ移動され、一対のコイルばね６４がそれぞれ軸方向に圧縮変形される。また、一対のクリックボタン３４の突起部３４Ａと一対のスイッチ５４との間隔が、調整レベル２の間隔Ｇ２よりも狭くなる。つまり、操作者がクリックボタン３４を押下してから、クリックボタン３４がスイッチ５４を押下するまでの距離がさらに短くなる。なお、本実施形態では、一対のクリックボタン３４の突起部３４Ａに一対のスイッチ５４がそれぞれ接触される。
【００５８】
これにより、操作者は、調整レベル２よりも早くスイッチ５４をオン状態にすることができる。したがって、操作者によるクリックボタン３４の操作感覚が変更される。なお、この状態における一対のクリックボタン３４の操作感覚を調整レベル３とする。
【００５９】
次に、操作者がクリックボタン３４の操作感覚を調整レベル１に戻す場合には、調整ダイヤル７０のダイヤル本体７２を操作し、回動軸７６を中心として調整ダイヤル７０を所定方向（図７の矢印Ｒ方向）に回動させる。そして、ダイヤル本体７２に表示された目印Ｓ１を筺体２０の所定位置に合わせる。
【００６０】
これにより、図８に示されるように、調整ダイヤル７０のベース突出部８２が退避位置からスイッチ基板５２の下の調整位置に移動し、当該ベース突出部８２によってスイッチ基板５２が支持される。この際、スイッチ基板５２は、高押圧部８６の他端部に形成された傾斜面９２（図５参照）に沿って、高押圧部８６の接触面８６Ａから低押圧部８２の接触面８２Ａへ移動される。
【００６１】
この結果、一対のコイルばね６４の付勢力によってスイッチ基板５２が一対のガイドピン６０に沿って一対の調整ダイヤル７０側へ移動されるとともに、一対のコイルばね６４が軸方向に伸長する。また、一対のクリックボタン３４の突起部３４Ａと一対のスイッチ５４との間隔Ｇ１が、調整レベル２，３の間隔よりも広くなる。つまり、操作者がクリックボタン３４を押下してから、クリックボタン３４がスイッチ５４を押下するまでの距離が長くなる。
【００６２】
これにより、操作者は、調整レベル３よりも遅くスイッチ５４をオン状態にすることができる。したがって、操作者によるクリックボタン３４の操作感覚が変更される。
【００６３】
次に、本実施形態の効果について説明する。
【００６４】
本実施形態によれば、前述したように、操作者が調整ダイヤル７０を回動軸７６を中心として回動させることにより、操作者の好みに応じて、クリックボタン３４の操作感覚を３段階（調整レベル１〜３）に調整することができる。
【００６５】
また、クリック装置３０の組立誤差等によって発生するクリックボタン３４の操作感覚の変動を、調整ダイヤル７０によって修正することができる。したがって、クリック装置３０の組立コスト等を削減することができる。
【００６６】
ここで、操作ボタンの移動方向と直交する方向に延びる回動軸を中心として回動される調整カムによって操作ボタンの操作感覚を調整する場合は、調整カムの径に応じて情報入力装置が操作ボタンの移動方向に大型化する可能性がある。これに対して本実施形態では、調整ダイヤル７０は、クリックボタン３４の移動方向に延びる回動軸７６を中心として回動される。したがって、調整ダイヤル７０の径によらずに、筺体２０をクリックボタン３４の移動方向に薄型化（小型化）することができる。
【００６７】
さらに、図５に示されるように、本実施形態では、ベース突出部８２と低押圧部８４との間の段差部には、傾斜面８８が形成される。これにより、調整ダイヤル７０の回動に伴って、スイッチ基板５２がベース突出部８２と低押圧部８４との間を移動し易くなる。これと同様に、低押圧部８４と高押圧部８６との間の段差部には、傾斜面９０が形成される。したがって、調整ダイヤル７０の回動に伴って、スイッチ基板５２が低押圧部８４と高押圧部８６との間を移動し易くなる。さらに、高押圧部８６とベース突出部８２との間の段差部には、傾斜面９２が形成される。したがって、調整ダイヤル７０の回動に伴って、スイッチ基板５２が高押圧部８６とベース突出部８２との間を移動し易くなる。
【００６８】
また、本実施形態では、ベース突出部８２、低押圧部８４及び高押圧部８６が回動軸７６の周方向に沿った環状を成す。これにより、調整ダイヤル７０の回動に伴って、ベース突出部８２、低押圧部８４及び高押圧部８６の各々がスイッチ基板５２の同じ部位に接触される。したがって、本実施形態では、ベース突出部８２、低押圧部８４及び高押圧部８６の各々がスイッチ基板５２の異なる部位に接触される場合と比較して、一対のクリックボタン３４の突起部３４Ａと一対のスイッチ５４との間隔を調整し易くなる。
【００６９】
さらに、本実施形態では、ベース突出部８２、低押圧部８４及び高押圧部８６の何れかによって、スイッチ基板５２における一対のビス６２間の中間部５２Ｍがクリックボタン３４側へ押圧される。これにより、一対のクリックボタン３４のうち、一方のクリックボタン３４とスイッチ５４との間隔と、他方のクリックボタン３４とスイッチ５４との間隔の差異が低減される。したがって、一対のクリックボタン３４の操作感覚のずれが抑制される。
【００７０】
さらに、本実施形態では、ベース突出部８２、低押圧部８４及び高押圧部８６の各々によって、スイッチ基板５２における一対のスイッチ５４間の中間部（中間部５２Ｍ）がクリックボタン３４側へ押圧される。したがって、一対のクリックボタン３４の操作感覚のずれがさらに抑制される。
【００７１】
次に、第２実施形態について説明する。なお、第２実施形態において、第１実施形態と同じ構成の部材には同符号を付して説明を省略する。
【００７２】
図１１に示されるように、第２実施形態における調整ダイヤル１００は、一対のクリックボタン３４の操作感覚を３段階（調整レベル１〜３）に調整可能とされる。また、この調整ダイヤル１００は、一対のクリックボタン３４の操作感覚を異なる感覚に調整可能とされる。
【００７３】
具体的には、調整ダイヤル１００は、ダイヤル本体７２及び環状リブ１０２を有する。環状リブ１０２は、円筒状に形成されており、ダイヤル本体７２と同軸上に配置される。この環状リブ１０２は、一対のベース突出部１１０Ａ，１１０Ｂ、一対の低押圧部１１２Ａ，１１２Ｂ及び一対の高押圧部１１４Ａ，１１４Ｂを有する。なお、一対の低押圧部１１２Ａ，１１２Ｂ及び一対の高押圧部１１４Ａ，１１４Ｂは、押圧部の一例である。
【００７４】
一対のベース突出部１１０Ａ，１１０Ｂ、一対の低押圧部１１２Ａ，１１２Ｂ及び一対の高押圧部１１４Ａ，１１４Ｂは、環状リブ１０２を周方向に複数に分割して形成される。つまり、一対のベース突出部１１０Ａ，１１０Ｂ、一対の低押圧部１１２Ａ，１１２Ｂ及び一対の高押圧部１１４Ａ，１１４Ｂは、回動軸７６の周方向にずれて配置される。
【００７５】
一対のベース突出部１１０Ａ，１１０Ｂは、ダイヤル本体７２の対向面７２Ａからの突出高さＨ１が同じとされる。これと同様に、一対の低押圧部１１２Ａ，１１２Ｂは、ダイヤル本体７２の対向面７２Ａからの突出高さＨ２が同じとされる。さらに、一対の高押圧部１１４Ａ，１１４Ｂは、ダイヤル本体７２の対向面７２Ａからの突出高さＨ３が同じとされる。
【００７６】
隣接するベース突出部１１０Ａ，１１０Ｂと低押圧部１１２Ａ，１１２Ｂとの間には、傾斜面１１６が形成される。また、隣接する低押圧部１１２Ａ，１１２Ｂと高押圧部１１４Ａ，１１４Ｂとの間には、傾斜面１１８が形成される。さらに、隣接する高押圧部１１４Ａ，１１４Ｂとベース突出部１１０Ａ，１１０Ｂとの間には、傾斜面１２０が形成される。
【００７７】
図１２に示されるように、一対の低押圧部１１２Ａ，１１２Ｂの突出高さＨ２は、一対のベース突出部１１０Ａ，１１０Ｂの突出高さＨ１よりも高くされる（Ｈ１＜Ｈ２）。また、一対の高押圧部１１４Ａ，１１４Ｂの突出高さＨ３は、一対の低押圧部１１２Ａ，１１２Ｂの突出高さＨ２よりも高くされる（Ｈ２＜Ｈ３）。
【００７８】
図１３に示されるように、一対のベース突出部１１０Ａ，１１０Ｂ、一対の低押圧部１１２Ａ，１１２Ｂ及び一対の高押圧部１１４Ａ，１１４Ｂの回動軸７６の周方向の長さは、スイッチ基板５２の幅Ｋよりも長くされる。また、調整ダイヤル１００の回動軸７６は、当該回動軸７６の軸方向から見て、スイッチ基板５２における一対のビス６２間の中間部５２Ｍと重なる。さらに、調整ダイヤル１００の回動軸７６は、当該回動軸７６の軸方向から見て、スイッチ基板５２における一対のスイッチ５４間の中間部（中間部５２Ｍ）とも重なる。
【００７９】
図１４及び図１５に示されるように、一対のベース突出部１１０Ａ，１１０Ｂは、回動軸７６の周方向の長さが同じとされており、回動軸７６を挟んで互いに対向される。この一対のベース突出部１１０Ａ，１１０Ｂは、調整ダイヤル１００の回動に伴って、スイッチ基板５２の一対のボタン対向部５２Ａにそれぞれ接触される。
【００８０】
図１６及び図１７に示されるように、一対の低押圧部１１２Ａ，１１２Ｂは、回動軸７６の周方向の長さが異なっており、一方の低押圧部１１２Ａと他方の低押圧部１１２Ｂの一部とが回動軸７６を挟んで互いに対向される。この一方の低押圧部１１２Ａと他方の低押圧部１１２Ｂの一部とは、調整ダイヤル１００の回動に伴って、スイッチ基板５２の一対のボタン対向部５２Ａにそれぞれ接触される。なお、一方の低押圧部１１２Ａ及び他方の低押圧部１１２Ｂの一部は、調整ダイヤル１００の回動に伴って一対のボタン対向部５２Ａをそれぞれ押圧する一対の第１押圧部の一例である。
【００８１】
図１８及び図１９に示されるように、一方の高押圧部１１４Ａの一部と他方の低押圧部１１２Ｂの一部とは、回動軸７６を挟んで互いに対向される。そして、一方の高押圧部１１４Ａの一部は、調整ダイヤル１００の回動に伴って、スイッチ基板５２の一方のボタン対向部５２Ａに接触される。また、他方の低押圧部１１２Ｂの一部は、回動軸７６の軸方向から見て、他方のボタン対向部５２Ａと重なるが、図１９に示されるように、他方のボタン対向部５２Ａには接触されない。なお、一方の高押圧部１１４Ａの一部及び他方の低押圧部１１２Ｂの一部は、調整ダイヤル１００の回動に伴って一方の高押圧部１１４Ａの一部及び他方の低押圧部１１２Ｂの一部の一方が一対のボタン対向部５２Ａの一方を押圧する一対の第２押圧部の一例である。
【００８２】
図２０及び図２１に示されるように、一対の高押圧部１１４Ａ，１１４Ｂは、回動軸７６の周方向の長さが異なっており、一方の高押圧部１１４Ａの一部と他方の高押圧部１１４Ｂとが回動軸７６を挟んで互いに対向される。この一方の高押圧部１１４Ａの一部と他方の高押圧部１１４Ｂとは、調整ダイヤル１００の回動に伴って、スイッチ基板５２の一対のボタン対向部５２Ａにそれぞれ接触される。なお、一方の高押圧部１１４Ａの一部及び他方の高押圧部１１４Ｂは、調整ダイヤル１００の回動に伴って一対のボタン対向部５２Ａをそれぞれ押圧する一対の第１押圧部の一例である。
【００８３】
次に、一対のクリックボタン３４の操作感覚の調整方法の一例について説明する。
【００８４】
図１４には、スイッチ基板５２が調整ダイヤル１００の一対のベース突出部１１０Ａ，１１０Ｂに接触（支持）された状態が示される。この状態では、図１５に示されるように、一対のクリックボタン３４の突起部３４Ａと一対のスイッチ５４との間隔は、Ｇ１とされる。なお、この状態における一対のクリックボタン３４の操作感覚を調整レベル１とする。
【００８５】
この状態から、操作者が一対のクリックボタン３４の操作感覚を変更する場合には、筺体２０から露出する調整ダイヤル１００のダイヤル本体７２を操作し、回動軸７６を中心として調整ダイヤル１００を所定方向（図１４の矢印Ｑ方向）に回動させる。そして、図１６に示されるように、ダイヤル本体７２に表示された目印Ｓ２を筺体２０の所定位置に合わせる。
【００８６】
これにより、一対の低押圧部１１２Ａ，１１２Ｂが退避位置からスイッチ基板５２の下の調整位置に移動し、この一対の低押圧部１１２Ａ，１１２Ｂによって一対のボタン対向部５２Ａが一対のクリックボタン３４側へそれぞれ押圧される。
【００８７】
この結果、図１７に示されるように、スイッチ基板５２が一対のガイドピン６０に沿って一対のクリックボタン３４側へ移動され、一対のコイルばね６４がそれぞれ軸方向に圧縮変形される。また、一対のクリックボタン３４の突起部３４Ａと一対のスイッチ５４との間隔Ｇ２が、調整レベル１の間隔Ｇ１よりも狭くなる（Ｇ２＜Ｇ１）。
【００８８】
これにより、操作者は、調整レベル１よりも早くスイッチ５４をオン状態にすることができる。したがって、操作者によるクリックボタン３４の操作感覚が変更される。なお、この状態における一対のクリックボタン３４の操作感覚を調整レベル２とする。
【００８９】
次に、操作者がクリックボタン３４の操作感覚をさらに変更する場合には、図１８に示されるように、調整ダイヤル１００のダイヤル本体７２を操作し、回動軸７６を中心として調整ダイヤル１００を所定方向（矢印Ｑ方向）に回動させる。そして、ダイヤル本体７２に表示された目印Ｓ３を筺体２０の所定位置に合わせる。
【００９０】
これにより、一方の高押圧部１１４Ａの一部と他方の低押圧部１１２Ｂの一部とが退避位置からスイッチ基板５２の下の調整位置に移動し、一方の高押圧部１１４Ａの一部によって一方のボタン対向部５２Ａが一対のクリックボタン３４側へ押圧される。
【００９１】
この結果、図１９に示されるように、スイッチ基板５２が一対のガイドピン６０に沿って一対のクリックボタン３４側へ移動され、一対のコイルばね６４がそれぞれ軸方向に圧縮変形される。また、一対のクリックボタン３４の突起部３４Ａと一対のスイッチ５４との間隔が、調整レベル２の間隔Ｇ２よりも狭くなる。つまり、操作者が一方のクリックボタン３４を押下してから、当該クリックボタン３４がスイッチ５４を押下するまでの距離がさらに短くなる。なお、本実施形態では、一対のクリックボタン３４の突起部３４Ａに一対のスイッチ５４がそれぞれ接触される。
【００９２】
これにより、操作者は、調整レベル２よりも早く一方のスイッチ５４（図１９の左側のスイッチ５４）をオン状態にすることができる。なお、この状態における一方のクリックボタン３４の操作感覚を調整レベル３とする。
【００９３】
ここで、他方のボタン対向部５２Ａの下には、低押圧部１１２Ｂの一部が配置されるが、この低押圧部１１２Ｂの一部は他方のボタン対向部５２Ａに接触されない。この状態で、操作者によって他方のクリックボタン３４が押圧されると、当該クリックボタン３４を介して他方のスイッチ５４及びボタン対向部５２Ａが調整ダイヤル１００側へ押圧される。そして、他方のボタン対向部５２Ａが低押圧部１１２Ｂの一部に接触すると、他方のクリックボタン３４と他方のボタン対向部５２Ａとの間で他方のスイッチ５４が挟み込まれて当該スイッチ５４がオン状態となる。
【００９４】
そのため、操作者が他方のクリックボタン３４を押下してから、当該クリックボタン３４がスイッチ５４を押下するまでの距離は、調整レベル２と同等となる。つまり、目印Ｓ３を筺体２０の所定位置に合わせた状態では、一方のクリックボタン３４（左側）の操作感覚が調整レベル３に設定され、他方のクリックボタン３４（右側）の操作感覚が調整レベル２に設定される。したがって、操作者は、一方のスイッチ５４を他方のスイッチ５４よりも早くオン状態にすることができる。
【００９５】
次に、操作者がクリックボタン３４の操作感覚をさらに変更する場合には、図２０に示されるように、調整ダイヤル１００のダイヤル本体７２を操作し、回動軸７６を中心として調整ダイヤル１００を所定方向（矢印Ｑ方向）に回動させる。そして、ダイヤル本体７２に表示された目印Ｓ４を筺体２０の所定位置に合わせる。
【００９６】
これにより、一方の高押圧部１１４Ａの一部と他方の高押圧部１１４Ｂとが退避位置からスイッチ基板５２の下の調整位置へ移動され、一対の高押圧部１１４Ａ，１１４Ｂによって一対のボタン対向部５２Ａがそれぞれ接触（支持）される。
【００９７】
この結果、図２１に示されるように、一方のクリックボタン３４の操作感覚と、他方のクリックボタン３４の操作感覚とが調整レベル３に設定される。したがって、操作者は、一対のスイッチ５４の両方を調整レベル２よりも早くオン状態にすることができる。
【００９８】
このように本実施形態では、目印Ｓ３を筺体２０の所定位置に合わせた状態において、一方のクリックボタン３４の操作感覚と、他方のクリックボタン３４の操作感覚とを異なる感覚に設定することができる。つまり、本実施形態では、例えば、一対のクリックボタン３４の使用頻度に応じて、一方のクリックボタン３４の操作感覚と、他方のクリックボタン３４の操作感覚とを異なる感覚に設定することができる。したがって、一対のクリックボタン３４の操作性がさらに向上する。
【００９９】
次に、上記第１，２実施形態の変形例について説明する。なお、以下では、第１実施形態を例に各種の変形例について説明するが、これらの変形例は、第２実施形態にも適宜適用可能である。
【０１００】
上記第１実施形態では、調整ダイヤル７０のダイヤル本体７２の外周部が、筺体２０から凸状に突出されるが、上記第１実施形態はこれに限らない。例えば、図２２に示されるように、ダイヤル本体７２の外周部は、筺体２０に形成された凹部１３０内に露出されても良い。具体的には、筺体２０の外周部には、回動軸７６の軸方向から見て、該筺体２０の内側へ凹む凹部１３０が形成される。そして、ダイヤル本体７２の外周部は、筺体２０の外周部から凸状に突出しないように凹部１３０内に配置される。これにより、例えば、操作者による調整ダイヤル７０の誤操作、及び筺体２０の落下等に伴う調整ダイヤル７０の破損等が抑制される。
【０１０１】
また、上記第１実施形態では、ベース突出部８２、低押圧部８４及び高押圧部８６が環状に形成されるが、上記第１実施形態はこれに限らない。例えば、図２３に示されるように、ベース突出部８２、低押圧部８４及び高押圧部８６は、回動軸７６の径方向にずれて配置されても良い。なお、ベース突出部８２、低押圧部８４及び高押圧部８６は、回動軸７６を中心し、かつ、半径が互いに異なる同心円の円周に沿ってそれぞれ形成されるとともに、回動軸７６の周方向にずれて配置される。
【０１０２】
また、上記第１実施形態では、ベース突出部８２、低押圧部８４及び高押圧部８６が円筒状に形成されるが、上記第１実施形態はこれに限らない。例えば、図２４に示されるように、ベース突出部８２、低押圧部８４及び高押圧部８６は、回動軸７６の軸方向から見て、６角形状等の多角形状の環状に形成されても良い。
【０１０３】
また、上記第１実施形態では、押圧部の一例として、低押圧部８４及び高押圧部８６が調整ダイヤル７０に設けられるが、上記第１実施形態はこれに限らない。調整ダイヤル７０には、少なくとも１つの押圧部を設けることができる。また、ベース突出部８２は、省略可能である。
【０１０４】
また、上記第１実施形態では、調整ダイヤル７０によって一対のクリックボタン３４の操作感覚が調整されるが、上記第１実施形態はこれに限らない。調整ダイヤル７０は、一対のクリックボタン３４の少なくとも一方の操作感覚を調整することができる。
【０１０５】
また、上記第１実施形態では、クリック装置３０に一対のクリックボタン３４が設けられるが、上記第１実施形態はこれに限らない。クリック装置３０には、少なくとも１つのクリックボタン３４を設けることができる。
【０１０６】
また、上記第１実施形態では、スイッチ基板５２が一対のガイドピン６０に沿って移動可能とされるが、上記第１実施形態はこれに限らない。スイッチ基板５２は、例えば、ガイドレールに沿って移動可能とされても良い。また、スイッチ基板５２の長手方向の両端部は、筺体２０に固定されても良い。この場合、低押圧部８４がスイッチ基板５２を一対のクリックボタン３４側へ押圧したときに、スイッチ基板５２が両端部を支点として一対のクリックボタン３４側へ凸状に湾曲することで、一対のクリックボタン３４と一対のスイッチ５４との間隔が変更される。
【０１０７】
また、上記第１実施形態では、低押圧部８４及び高押圧部８６がスイッチ基板５２を介して一対のスイッチ５４を一対のクリックボタン３４側へ押圧するが、上記第１実施形態はこれに限らない。低押圧部８４及び高押圧部８６は、他の部材を介してスイッチ５４を一対のクリックボタン３４側へ押圧しても良い。
【０１０８】
また、上記第１実施形態では、クリック装置３０が、電子機器１０としてのノートパソコンに設けられるが、上記第１実施形態はこれに限らない。クリック装置は、例えば、ノートパソコン等に接続されるマウスのクリックボタンに適用されても良い。また、クリック装置３０は、クリックボタンに限らず、他のボタンに適用されても良い。
【０１０９】
また、上記第１実施形態では、調整部材が円盤状の調整ダイヤル７０とされるが、調整部材の形状は適宜変更可能である。
【０１１０】
以上、本願が開示する技術の一実施形態について説明したが、本願が開示する技術は上記の実施形態に限定されるものでない。また、上記実施形態及び各種の変形例を適宜組み合わせて用いても良いし、本願が開示する技術の要旨を逸脱しない範囲において、種々なる態様で実施し得ることは勿論である。
【０１１１】
なお、以上の実施形態に関し、さらに以下の付記を開示する。
【０１１２】
（付記１）
筺体と、
前記筺体に設けられるスイッチユニットと、
前記筺体に設けられ、前記スイッチユニットと対向するとともに、該スイッチユニットとの対向方向に移動される操作ボタンと、
前記筺体に設けられるとともに前記スイッチユニットに対する前記操作ボタンと反対側に配置され、前記操作ボタンの移動方向に延びる回動軸を中心とした回動に伴って前記操作ボタンに対して前記スイッチユニットを接離させる調整部材と、
を備える情報入力装置。
（付記２）
前記調整部材の一部は、前記筺体から露出される、
付記１に記載の情報入力装置。
（付記３）
前記筺体には、前記回動軸の軸方向から見て、該筺体の内側へ凹む凹部が形成され、
前記調整部材の一部は、前記凹部内に露出される、
付記２に記載の情報入力装置。
（付記４）
前記調整部材は、前記スイッチユニット側へ突出し、前記回動軸を中心とした回動に伴って前記スイッチユニットを前記操作ボタン側へ押圧する押圧部を有する、
付記１〜付記３の何れか１つに記載の情報入力装置。
（付記５）
前記調整部材は、前記回動軸と同軸上に配置される円盤状のダイヤル本体を有し、
前記押圧部は、前記ダイヤル本体から前記スイッチユニット側へ突出する、
付記４に記載の情報入力装置。
（付記６）
前記押圧部は、前記調整部材の回動に伴って、前記スイッチユニットが接触される調整位置と、前記スイッチユニットが接触されない退避位置との間を移動する、
付記４又は付記５に記載の情報入力装置。
（付記７）
前記調整部材は、前記スイッチユニット側への突出高さが異なるとともに前記回動軸の周方向にずれて配置される複数の前記押圧部を有する、
付記４〜付記６の何れか１つに記載の情報入力装置。
（付記８）
複数の前記押圧部の各々は、前記回動軸の周方向に沿って延びる、
付記７に記載の情報入力装置。
（付記９）
前記調整部材は、前記スイッチユニット側へ突出し、該調整部材の回動に伴って前記スイッチユニットに接触されるベース突出部を有し、
複数の前記押圧部は、前記ベース突出部よりも前記スイッチユニット側へ突出するとともに、該ベース突出部とで前記回動軸の周方向に沿った環状を成す、
付記７又は付記８に記載の情報入力装置。
（付記１０）
前記押圧部における前記回動軸の周方向の一端部には、該押圧部における前記回動軸の周方向の他端側から一端側に向かうに従って前記スイッチユニット と反対側へ傾斜する傾斜面が形成される、
付記７〜付記９の何れか１つに記載の情報入力装置。
（付記１１）
前記スイッチユニットの長手方向の両端部を前記筺体に取り付ける一対の取付部材を備え、
前記押圧部は、前記調整部材の回動に伴って、前記スイッチユニットにおける一対の前記取付部材間の中間部を少なくとも押圧する、
付記７〜付記１０の何れか１つに記載の情報入力装置。
（付記１２）
前記取付部材は、ビスとされる、
付記１１に記載の情報入力装置。
（付記１３）
前記筺体には、互いに隣り合う一対の前記操作ボタンが設けられ、
前記スイッチユニットは、
一対の前記操作ボタンと前記調整部材との間に配置されるスイッチ基板と、
前記スイッチ基板に実装され、一対の前記操作ボタンの各々と対向する一対のスイッチと、
を有し、
前記押圧部は、前記調整部材の回動に伴って、前記スイッチ基板における一対の前記スイッチ間の中間部を少なくとも押圧する、
付記７〜付記１２の何れか１つに記載の情報入力装置。
（付記１４）
前記スイッチ基板は、一対の前記操作ボタンの各々と対向する一対のボタン対向部を有し、
前記調整部材は、前記回動軸を挟んで互いに対向するとともに、該調整部材の回動に伴って少なくとも一方が、一対の前記ボタン対向部を押圧する一対の前記押圧部を有する、
付記１３に記載の情報入力装置。
（付記１５）
前記調整部材は、
前記スイッチユニット側への突出高さが互いに同じとされる一対の前記押圧部としての一対の第１押圧部と、
前記スイッチユニット側への突出高さが互いに異なるとともに、一対の前記第１突出部と前記回動軸の周方向にずれて配置される一対の前記押圧部としての一対の第２押圧部と、
を有する、
付記１４に記載の情報入力装置。
（付記１６）
前記スイッチは、タクタイルスイッチとされる、
付記１３〜付記１５の何れか１つに記載の情報入力装置。
（付記１７）
前記筺体に設けられ、前記スイッチユニットを該スイッチユニットと前記操作ボタンとの対向方向に沿って移動させるガイド部と、
前記筺体に設けられ、前記スイッチユニットを前記調整部材側へ付勢する弾性部材と、
を備える、
付記１〜付記１６の何れか１つに記載の情報入力装置。
（付記１８）
前記スイッチユニットの長手方向の両端部には、取付孔がそれぞれ形成され、
前記ガイド部は、前記スイッチユニットと前記操作ボタンとの対向方向に延びるとともに、前記取付孔にそれぞれ挿入されるガイドピンとされる、
付記１７に記載の情報入力装置。
（付記１９）
前記弾性部材は、コイルばねとされる、
付記１７又は付記１８に記載の情報入力装置。
（付記２０）
前記操作ボタンは、クリックボタンとされる、
付記１〜付記１９の何れか１つに記載の情報入力装置。
【符号の説明】
【０１１３】
１０      電子機器
２０      筺体
３４      クリックボタン（操作ボタンの一例）
５０      スイッチユニット
５２      スイッチ基板
５２Ａ    ボタン対向部
５２Ｍ    中間部（スイッチ基板における一対の取付部材間の中間部の一例）
（スイッチ基板における一対のスイッチ間の中間部の一例）
５４      スイッチ
５８      取付孔
６０      ガイドピン（ガイド部の一例）
６２      ビス（取付部材の一例）
６４      コイルばね（弾性部材の一例）
７０      調整ダイヤル（調整部材の一例）
７２      ダイヤル本体
７２Ａ    対向面
７６      回動軸
８０      環状リブ
８２      ベース突出部
８４      低押圧部（押圧部の一例）
８６      高押圧部（押圧部の一例）
８８      傾斜面
９０      傾斜面
９２      傾斜面
１００    調整ダイヤル（調整部材の一例）
１１０Ａ  ベース突出部
１１０Ｂ  ベース突出部
１１２Ａ  低押圧部（押圧部、第１押圧部及び第２押圧部の一例）
１１２Ｂ  低押圧部（押圧部及び第１押圧部の一例）
１１４Ａ  高押圧部（押圧部及び第１押圧部の一例）
１１４Ｂ  高押圧部（押圧部、第１押圧部及び第２押圧部の一例）
１１６    傾斜面
１１８    傾斜面
１２０    傾斜面
１３０    凹部
【図１】
0006488942.tif 000002
【図２】
0006488942.tif 000003
【図３】
0006488942.tif 000004
【図４】
0006488942.tif 000005
【図５】
0006488942.tif 000006
【図６】
0006488942.tif 000007
【図７】
0006488942.tif 000008
【図８】
0006488942.tif 000009
【図９】
0006488942.tif 000010
【図１０】
0006488942.tif 000011
【図１１】
0006488942.tif 000012
【図１２】
0006488942.tif 000013
【図１３】
0006488942.tif 000014
【図１４】
0006488942.tif 000015
【図１５】
0006488942.tif 000016
【図１６】
0006488942.tif 000017
【図１７】
0006488942.tif 000018
【図１８】
0006488942.tif 000019
【図１９】
0006488942.tif 000020
【図２０】
0006488942.tif 000021
【図２１】
0006488942.tif 000022
【図２２】
0006488942.tif 000023
【図２３】
0006488942.tif 000024
【図２４】
0006488942.tif 000025